(57)【要約】【課題】直列に接続された上流側の第１電磁弁１２と下流側の第２電磁弁１３とを備える給水弁装置であって、第１電磁弁をパイロット式電磁弁で構成し、第２電磁弁を直動式電磁弁で構成するものにおいて、給水開始時に第２電磁弁を水圧を受けない状態で開弁させられるようにし、第２電磁弁のソレノイドを小型化して消費電力を低減する。【解決手段】第２電磁弁１３に並列に直動式の小型電磁弁から成る第３電磁弁１４を設ける。そして、給水開始時に、先ず、第３電磁弁１４を開弁させて、第１電磁弁１２と第２電磁弁１３との間の連通路１１３の圧抜きを行ってから第２電磁弁１３を開弁させ、最後に第１電磁弁１２を開弁させる。また、給水中は第３電磁弁１４を閉弁させる。【選択図】図２
2008008319.tif 000002
【特許請求の範囲】
【請求項１】
水を使用する機器の給水路に設けられる給水弁装置であって、直列に接続された上流側の第１電磁弁と下流側の第２電磁弁とを備え、第１電磁弁は、弁座に開設した主弁孔を開閉するダイヤフラムから成る主弁と、主弁の背面側に画成され、弁座の周囲に形成した流入室にオリフィス孔を介して連通する背圧室と、背圧室と主弁孔とを連通するパイロット弁孔を開閉するパイロット弁と、パイロット弁を開閉駆動するソレノイドとを備えるパイロット式電磁弁で構成され、第２電磁弁は、第１電磁弁の下流側に位置する弁孔を開閉する弁体と、弁体を開閉駆動するソレノイドとを備える直動式電磁弁で構成されるものにおいて、
第２電磁弁に並列の第３電磁弁を備え、第３電磁弁は、第２電磁弁の弁孔より小径の弁孔を開閉する弁体と、弁体を開閉駆動するソレノイドとを備える直動式電磁弁で構成され、
給水開始時に、第１乃至第３電磁弁を第３電磁弁、第２電磁弁、第１電磁弁の順で時間差を存して開弁させることを特徴とする給水弁装置。
【請求項２】
前記第２電磁弁の開弁後に前記第３電磁弁を閉弁させることを特徴とする請求項１記載の給水弁装置。
【請求項３】
前記第１乃至第３電磁弁は共通のバルブハウジングに配置され、第３電磁弁の弁孔は第２電磁弁の弁孔より鉛直方向下方に設けられ、給水停止時に、第１電磁弁と第２電磁弁との閉弁後所定時間経過するまで第３電磁弁を開弁させることを特徴とする請求項１又は２記載の給水弁装置。
【発明の詳細な説明】
【技術分野】
【０００１】
本発明は、食器洗浄機といった水を使用する機器の給水路に設けられる給水弁装置に関する。
【背景技術】
【０００２】
食器洗浄機は、洗浄槽に給水路を介して水を供給するように構成されており、この給水路に電磁弁から成る給水弁を介設している。ここで、給水弁が故障や異物の噛み込み等で止水不良を生ずると、洗浄槽への給水が継続して、洗浄槽から水が溢れ出る漏水事故を生ずることがある。
【０００３】
そのため、従来、給水路に設けられる給水弁装置として、直列に接続された上流側の第１電磁弁と下流側の第２電磁弁とを備えものが知られている(例えば、特許文献１参照)。これによれば、第１と第２の両電磁弁の一方の電磁弁の止水不良を生じても他方の電磁弁により給水を停止でき、漏水事故が発生する可能性を可及的に低減できる。
【０００４】
ここで、両電磁弁が同時に止水不良を生じないようにするには、第１電磁弁と第２電磁弁とを互いに異なる型式のものにすること、例えば、第１と第２の両電磁弁の一方をパイロット式電磁弁で構成し、他方の電磁弁を直動式電磁弁で構成することが望まれる。
【０００５】
パイロット式電磁弁は、弁座に開設した主弁孔を開閉するダイヤフラムから成る主弁と、主弁の背面側に画成され、弁座の周囲に形成した流入室にオリフィス孔を介して連通する背圧室と、背圧室と主弁孔とを連通するパイロット弁孔を開閉するパイロット弁と、パイロット弁を開閉駆動するソレノイドとを備える電磁弁である。パイロット弁を閉弁させると、流入室からオリフィス孔を介して背圧室に流入する水が背圧室に封じ込められ、主弁の背面に作用する背圧室の水圧による押圧力が主弁の前面に作用する流入室の水圧による押圧力を上回って主弁が閉弁され、パイロット弁を開弁させると、背圧室内の水がパイロット弁孔を介して流出し、主弁の背面に作用する押圧力が主弁の前面に作用する押圧力を下回って主弁が開弁され、流入室から主弁孔に水が流れる。パイロット式電磁弁は、小型のパイロット弁の開弁で主弁を開弁させて大流量の水を流すことができる。そのため、ソレノイドを小型化して消費電力を少なくできる利点がある。反面、給水圧が低い場合には、パイロット弁を閉弁させても、主弁の閉じ側への押圧力が不足して、異物の噛み込みによる止水不良を生じやすくなる。また、オリフィス孔が目詰まりしやすく、この目詰まりにより背圧室に水が流入しにくくなって、止水不良を生ずることもある。
【０００６】
また、直動式電磁弁は、弁孔を開閉する弁体と、弁体を開閉駆動するソレノイドとを備える電磁弁であり、給水圧が低い場合でも止水不良を生じない。然し、所要の流量の水を流すには弁孔の孔径を大きくする必要があって、弁体も大径になるため、弁体に作用する給水圧による閉じ側への押圧力が大きくなり、給水圧が高い場合に開弁不良を生じやすくなる。開弁不良を防止するには、ソレノイドを大型化する必要があり、消費電力が増大する。
【０００７】
ここで、上流側の第１電磁弁をパイロット式電磁弁、下流側の第２電磁弁を直動式電磁弁で構成すると共に、第２電磁弁を給水圧を受けない状態で開弁できるように、給水開始時に第１と第２の両電磁弁を第２電磁弁、第１電磁弁の順で時間差を存して開弁することが考えられる。然し、両電磁弁が閉弁されている給水停止中に、給水路の上流端を接続する家屋の水道配管でウォータハンマーが発生すると、第１電磁弁たるパイロット式電磁弁の主弁がウォータハンマーによる水圧変化で一時的に開弁して、第１電磁弁と第２電磁弁との間の連通路に水が流入し、連通路の水圧が上昇する。そのため、第２電磁弁のソレノイドが小型であると、連通路の水圧の影響で第２電磁弁の開弁不良を生ずる可能性がある。従って、第２電磁弁のソレノイドを小型化して消費電力の低減を図ることはできない。
【特許文献１】特開２０００−１３９８０８号公報
【発明の開示】
【発明が解決しようとする課題】
【０００８】
本発明は、以上の点に鑑み、上流側の第１電磁弁をパイロット式電磁弁、下流側の第２電磁弁を直動式電磁弁で構成する給水弁装置において、第２電磁弁を水圧を受けない状態で開弁させられるようにして、第２電磁弁のソレノイドの小型化による消費電力の低減を図れるようにすることをその課題としている。
【課題を解決するための手段】
【０００９】
上記課題を解決するために、本発明は、水を使用する機器の給水路に設けられる給水弁装置であって、直列に接続された上流側の第１電磁弁と下流側の第２電磁弁とを備え、第１電磁弁は、弁座に開設した主弁孔を開閉するダイヤフラムから成る主弁と、主弁の背面側に画成され、弁座の周囲に形成した流入室にオリフィス孔を介して連通する背圧室と、背圧室と主弁孔とを連通するパイロット弁孔を開閉するパイロット弁と、パイロット弁を開閉駆動するソレノイドとを備えるパイロット式電磁弁で構成され、第２電磁弁は、第１電磁弁の下流側に位置する弁孔を開閉する弁体と、弁体を開閉駆動するソレノイドとを備える直動式電磁弁で構成されるものにおいて、第２電磁弁に並列の第３電磁弁を備え、第３電磁弁は、第２電磁弁の弁孔より小径の弁孔を開閉する弁体と、弁体を開閉駆動するソレノイドとを備える直動式電磁弁で構成され、給水開始時に、第１乃至第３電磁弁を第３電磁弁、第２電磁弁、第１電磁弁の順で時間差を存して開弁させることを特徴とする。
【００１０】
本発明によれば、給水停止中に第１と第２の両電磁弁間の連通路の水圧が上昇しても、給水開始時に先ず第３電磁弁が開弁されるため、連通路が第３電磁弁を介して圧抜きされ、第２電磁弁は水圧を受けずに開弁されることになる。従って、直動式電磁弁から成る第２電磁弁のソレノイドを小型化して、消費電力を大幅に低減できる。
【００１１】
尚、第３電磁弁は水圧を受けた状態で開弁されることになる。ここで、給水時の流量は第２電磁弁の弁孔を大きくすることで確保できるため、第２電磁弁に並列の第３電磁弁の弁孔は圧抜き可能な範囲で可及的に小さく形成でき、第３電磁弁の弁体も小径になる。従って、第３電磁弁のソレノイドが小型であっても、第３電磁弁の開弁不良は生じない。その結果、第３電磁弁の付加による消費電力の増加量は僅かになり、第２電磁弁のソレノイドの小型化による消費電力の大幅な低減で、トータルの消費電力も低減される。
【００１２】
また、第３電磁弁は第２電磁弁の開弁前に連通路を圧抜きするための弁であるから、第２電磁弁の開弁後は第３電磁弁を閉弁させても良い。これによれば、給水中は第３電磁弁のソレノイドに通電せずに済むため、消費電力を一層低減できる。
【００１３】
ところで、給水路に第１乃至第３電磁弁を個別に配管接続することも可能であるが、これでは電磁弁の接続作業が面倒になる。そのため、第１乃至第３電磁弁を共通のバルブハウジングに配置することが望ましい。この場合、給水停止時に第１と第２の両電磁弁間の連通路に残留する水が凍結すると、バルブハウジングの破損を生ずる虞がある。ここで、第３電磁弁の弁孔を第２電磁弁の弁孔より鉛直方向下方に設け、給水停止時に、第１電磁弁と第２電磁弁との閉弁後所定時間経過するまで第３電磁弁を開弁させるようにすれば、連通路に残留する水が第３電磁弁の閉弁前に該弁を介して排水される。これにより、残留水の凍結によるバルブハウジングの破損を防止できる。
【発明を実施するための最良の形態】
【００１４】
図１は、本発明の実施形態の給水弁装置を具備する食器洗浄機を示している。この食器洗浄機は、外装ケース１と、外装ケース１内の洗浄槽２とを備えており、この洗浄槽２内に給水路３を介して水が供給される。洗浄槽２には、食器類Ｗを載置する食器カゴ２ａと、食器カゴ２ａに向けて洗浄水を噴射する洗浄ノズル４と、ヒータ５とが設けられており、また、洗浄槽１の下側には、洗浄槽２の底部に残菜フィルタ６を介して接続される洗浄・排水ポンプ７が設けられている。そして、洗浄・排水ポンプ７を正転させることにより洗浄水を洗浄ノズル４を介して洗浄槽２内に循環させ、洗浄・排水ポンプ７を逆転させることにより洗浄槽２内の洗浄水を排水路８を介して排水するようにしている。排水路８には、逆流防止のための逆Ｕ字状の立上り部８ａと、エア抜き部８ｂと、排水トラップ部８ｃと、逆止弁８ｄとが設けられている。また、外装ケース１内には、洗浄槽２内に乾燥用の空気を送風する乾燥ファン９が設けられている。
【００１５】
食器洗浄機の運転スイッチをオンすると、先ず、洗浄槽２に所定量の水が給水され、この水に図外の洗剤供給手段から洗剤が混入されて洗浄水が生成される。そして、給水停止後、ヒータ５に通電すると共に洗浄・排水ポンプ７を正転させて、洗浄水を加熱しつつ洗浄ノズル４から噴射させ、所定時間の洗浄運転を行う。洗浄運転完了後は、洗浄・排水ポンプ７を逆転させて洗浄槽２内の洗浄水を排水し、次に、洗浄槽２に所定量の水を給水した後、洗浄・排水ポンプ７を正転させて洗浄ノズル４から水を噴射させ、所定時間のすすぎ運転を行う。すすぎ運転完了後は、洗浄・排水ポンプ７を逆転させて洗浄槽２内の水を排水し、次に、ヒータ５に通電すると共に乾燥ファン９を駆動させて、所定時間の乾燥運転を行う。
【００１６】
ここで、給水路３には、洗浄運転前及びすすぎ運転前の洗浄槽２への給水を制御する給水弁装置１０が設けられている。以下、図２を参照して、給水弁装置１０について詳述する。尚、図２の上下は鉛直方向の上下に一致している。
【００１７】
給水弁装置１０は、給水路３の上流側部分３ａに連なる流入口１１１と、給水路３の下流側部分３ｂに連なる流出口１１２とを有するバルブハウジング１１を備えている。そして、バルブハウジング１１に、上流側たる流入口１１１側の第１電磁弁１２と下流側たる流出口１１２側の第２電磁弁１３とが配置され、第１と第２の両電磁弁１２，１３がバルブハウジング１１内の連通路１１３を介して直列に接続されている。尚、流入口１１１と流出口１１２は何れも下向きに開口している。
【００１８】
第１電磁弁１２は、バルブハウジング１１に一体成形した弁座１２１と、弁座１２１に開設した、連通路１１３に連なる主弁孔１２２ａを開閉するダイヤフラムから成る主弁１２２と、弁座１２１の周囲に主弁１２２に対向するように形成した、流入口１１１に連なる流入室１２３と、ダイヤフラムの押えを兼ねるカバー１２４によって主弁１２２の背面側に画成され、流入室１２３にオリフィス孔１２３ａを介して連通する背圧室１２５と、背圧室１２５と主弁孔１２２ａとを連通するパイロット弁孔１２６ａを開閉するパイロット弁１２６と、パイロット弁１２６を開閉駆動するソレノイド１２７とから成るパイロット式電磁弁で構成されている。ソレノイド１２７は、電磁コイル１２７ａと、電磁コイル１２７ａに内挿されるカバー１２４に一体の筒状ガイド１２７ｂに収納した可動鉄心１２７ｃと、可動鉄心１２７ｃを軸方向先方に付勢するばね１２７ｄとを備えており、可動鉄心１２７ｃの先端にパイロット弁１２６を取付けている。そして、常時はパイロット弁１２６がパイロット弁孔１２６ａを閉塞する閉弁位置にばね１２７ｄにより付勢保持され、電磁コイル１２７ａに通電したとき、可動鉄心１２７ｃが軸方向尾方に磁気吸引され、パイロット弁１２６がパイロット弁孔１２６ａを開放する開弁位置に変位するようにしている。
【００１９】
パイロット弁１２６を閉弁させると、流入室１２３からオリフィス孔１２３ａを介して背圧室１２５に流入する水が背圧室１２５に封じ込められ、主弁１２２の背面に作用する背圧室１２５の水圧による押圧力が主弁１２２の前面に作用する流入室１２３の水圧による押圧力を上回り、主弁１２２が閉弁される。また、パイロット弁１２６を開弁させると、背圧室１２５内の水がパイロット弁孔１２６ａを介して主弁孔１２２ａに流出して背圧室１２５の水圧が低下し、主弁１２２の背面に作用する押圧力が主弁１２２の前面に作用する押圧力を下回って主弁１２２が開弁され、流入室１２３から主弁孔１２２ａを介して連通路１１３に水が流れる。
【００２０】
尚、本実施形態では、オリフィス孔１２３ａとパイロット弁孔１２６ａとを主弁１２２に形成しているが、バルブハウジング１１にオリフィス孔１２３ａとパイロット弁孔１２６ａとを形成することも可能である。
【００２１】
第２電磁弁１３は、連通路１１３の下流端部の底面に形成した弁座１３１と、弁座１３１に開設した、流出口１１２に連なる弁孔１３２を開閉する弁体１３３と、弁体１３３を開閉駆動するソレノイド１３４とを備える直動式電磁弁で構成されている。ソレノイド１３４は、電磁コイル１３４ａと、電磁コイル１３４ａに内挿されるバルブハウジング１１に一体の筒状ガイド１３４ｂに収納した可動鉄心１３４ｃと、可動鉄心１３４ｃを軸方向先方(下方)に付勢するばね１３４ｄとを備えており、可動鉄心１３４ｃの先端(下端)に弁体１３３を取り付けている。そして、常時は弁体１３３が弁孔１３２を閉塞する閉弁位置にばね１３４ｄにより付勢保持され、電磁コイル１３４ａに通電したとき、可動鉄心１３４ｃが軸方向尾方(上方)に磁気吸引され、弁体１３３が弁孔１３２を開放する開弁位置に変位して、連通路１１３から弁孔１３２を介して流出口１１２に水が流れる。
【００２２】
また、バルブハウジング１１には、第２電磁弁１３に並列の第３電磁弁１４が配置されている。即ち、バルブハウジング１１に、連通路１１３と流出口１１２とを結ぶ第２電磁弁１３に並列のバイパス路１１４を形成し、このバイパス路１１４に第３電磁弁１４を介設している。第３電磁弁１４は、バイパス路１１４に設けられた弁座１４１と、弁座１４１に開設した弁孔１４２を開閉する弁体１４３と、弁体１４３を開閉駆動するソレノイド１４４とを備える直動式電磁弁で構成されている。ソレノイド１４４は、電磁コイル１４４ａと、電磁コイル１４４ａに内挿される筒状ガイド１４４ｂに収納した可動鉄心１４４ｃと、可動鉄心１４４ｃを軸方向先方に付勢するばね１４４ｄとを備えており、可動鉄心１４４ｃの先端に弁体１４３を取り付けている。そして、常時は弁体１４３が弁孔１４２を閉塞する閉弁位置にばね１４４ｄにより付勢保持され、電磁コイル１４４ａに通電したとき、可動鉄心１４４ｃが軸方向尾方に磁気吸引され、弁体１４３が弁孔１４２を開放する開弁位置に変位して、連通路１１３からバイパス路１１４を介して流出口１１２に水が流れる。
【００２３】
尚、第３電磁弁１４の弁孔１４２は、第２電磁弁１３の弁孔１３２より小径であり、且つ、第２電磁弁１３の弁孔１３２より鉛直方向下方に設けられている。
【００２４】
第１乃至第３電磁弁１２，１３，１４は、食器洗浄機に設けられたコントローラ１５により開閉制御される。その詳細は、図３に示す通りであり、先ず、Ｓ１のステップで給水開始指令が出されたか否かを判別する。そして、給水開始指令が出されたときは、Ｓ２のステップで第３電磁弁１４の電磁コイル１４４ａに通電して第３電磁弁１４を開弁させた後、Ｓ３のステップで第２電磁弁１３の電磁コイル１３４ａに通電して第２電磁弁１３を開弁させ、次に、Ｓ４のステップで第１電磁弁１２の電磁コイル１２７ａに通電して第１電磁弁１２を開弁させると共に、第３電磁弁１４の電磁コイル１４４ａへの通電を停止して第３電磁弁１４を閉弁させる。これによれば、流入口１１１から流出口１１２に第１電磁弁１２の主弁孔１２２ａと連通路１１３と第２電磁弁１３の弁孔１３２とを介して水が流れ、洗浄槽２への給水が開始される。
【００２５】
ところで、第２電磁弁１３の弁孔１３２は所要の流量で給水できるように大きく形成する必要があり、弁体１３３及び可動鉄心１３４ｃも大径になる。そして、可動鉄心１３４ｃの軸方向尾端面には筒状ガイド１３４ｂ内を介して連通路１１３の水圧が作用する。そのため、連通路１１３の水圧が高い状態で第２電磁弁１３を開弁させるには、電磁コイル１３４ａの励磁力をかなり大きくすることが必要になり、ソレノイド１３４が大型化して消費電力が増大する。
【００２６】
ここで、第１電磁弁１２が閉弁している状態で第２電磁弁１３を開弁させれば、連通路１１３の水圧が低い状態で第２電磁弁１３を開弁できると思われるが、実際には、給水停止中に家屋の水道配管で発生するウォータハンマーによる第１電磁弁１２の流入室１２３の水圧変化で第１電磁弁１２の主弁１２２が一時的に開弁して、連通路１１３の水圧が高くなってしまうことがある。そのため、このままでは、第２電磁弁１３の電磁コイル１３４ａの励磁力をかなり大きくしないと、第２電磁弁１３の開弁不良を生ずる。
【００２７】
これに対し、本実施形態では、上記の如く第２電磁弁１３に先行して第３電磁弁１４を開弁させるため、連通路１１３が第３電磁弁１４を介して圧抜きされ、第２電磁弁１３は水圧を受けずに開弁される。従って、第２電磁弁１３の電磁コイル１３４ａの励磁力が小さくても、第２電磁弁１３の開弁不良は生じない。その結果、第２電磁弁１３のソレノイド１３４を小型化して消費電力を大幅に低減できる。
【００２８】
尚、第３電磁弁１４は連通路１１３の水圧を受けた状態で開弁されるが、第３電磁弁１４の弁孔１４２は圧抜き可能な範囲で可及的に小さくでき、そのため、弁体１３３及び可動鉄心１３４ｃも小径になり、電磁コイル１４４ａの励磁力が小さくても第３電磁弁１４の開弁不良は生じない。従って、第３電磁弁１４の付加による消費電力の増加は僅かになり、第２電磁弁１３の消費電力の大幅な低減により、給水開始時の第１乃至第３電磁弁１２，１３，１４のトータルの消費電力を低減できる。また、第２電磁弁１３の開弁後に第３電磁弁１４を閉弁させるため、給水中は第３電磁弁１４の電磁コイル１４４ａに通電せずに済み、第１乃至第３電磁弁１２，１３，１４のトータルの消費電力が一層低減される。
【００２９】
上記の如くして給水を開始すると、次に、Ｓ５のステップで給水停止指令が出されたか否かを判別する。尚、給水停止指令は、洗浄槽２内の水位が所定レベルになってこれを図外の水位スイッチが検出したときに出される。そして、給水停止指令が出されると、Ｓ６のステップで第１電磁弁１２の電磁コイル１２７ａへの通電を停止して第１電磁弁１２を閉弁させた後、Ｓ７のステップで第２電磁弁１３の電磁コイル１３４ａへの通電を停止して第２電磁弁１３を閉弁させると共に、第３電磁弁１４の電磁コイル１４４ａに通電して第３電磁弁１４を開弁させる。次に、Ｓ８のステップで第２電磁弁１３の閉弁から所定時間(例えば、数秒)経過したか否かを判別し、所定時間経過したときにＳ９のステップで第３電磁弁１４の電磁コイル１４４ａへの通電を停止して第３電磁弁１４を閉弁させる。
【００３０】
ここで、第１電磁弁１２の電磁コイル１２７ａへの通電を停止すると、パイロット弁１２６が閉弁し、背圧室１２５の水圧が上昇して、主弁１２２の背面と前面とに作用する押圧力の差で主弁１２２が閉弁するが、給水圧が低いと、主弁１２２の背面と前面とに作用する押圧力の差が小さくなり、異物の噛み込み等により止水不良を生ずることがある。また、オリフィス孔１２３ａの目詰まりで背圧室１２５の水圧上昇が妨げられて、止水不良を生ずることもある。然し、本実施形態では、第２電磁弁１２での止水不良を生じても、第２電磁弁１３の閉弁により給水を停止でき、洗浄槽２から水が溢れ出るといった漏水事故の発生を可及的に防止できる。
【００３１】
ところで、第１と第２の両電磁弁１２,１３の閉弁後に連通路１１３に水が残留すると、残留水の凍結によりバルブブロック１１が破損する可能性がある。特に、新築家屋に食器洗浄機を設置し、試運転で洗浄槽２に給水した後、給水路３の上流側部分３ａからの排水を行っても、このままでは連通路１１３に水が残留するため、寒冷期においては新築家屋に人が入居するまでの間にバルブハウジング１１が破損してしまう可能性が高くなる。
【００３２】
そこで、本実施形態では、上記の如く第３電磁弁１４の弁孔１４２を第２電磁弁１３の弁孔１３２より鉛直方向下方に設けると共に、給水停止時に第１と第２の両電磁弁１２，１３の閉弁後所定時間経過するまで第３電磁弁１４を開弁させている。これによれば、第１と第２の両電磁弁１２，１３の閉弁後に連通路１１３に残留する水が、第３電磁弁１４を閉弁させるまでの間に、第３電磁弁１４の弁孔１４２を介して流出口１１２に排水される。従って、入居前に連通路１１３に残留する水の凍結でバルブハウジング１１の破損を生ずることを防止できる。
【００３３】
尚、本実施形態では、給水停止時に第１電磁弁１２と第２電磁弁１３とを時間差を存して閉弁させているが、第１と第２の両電磁弁１２，１３を同時に閉弁させるようにしても良い。
【００３４】
また、本実施形態では、第３電磁弁１４の可動鉄心１４４ｃの先端に水圧を受ける受圧面を比較的広く確保している。これによれば、ウォータハンマーにより第１電磁弁１２の主弁１２２が一時的に開弁すると、連通路１１３を介して伝播されるウォータハンマーを受けて第３電磁弁１４が一時的に開弁し、ウォータハンマーによる水道配管の過度の水圧上昇を防止する過圧逃がし機能が得られる。
【００３５】
以上、食器洗浄機の給水路に設ける給水弁装置１０に本発明を適用した実施形態について説明したが、食器洗浄機に限らず水を使用する機器の給水路に設ける給水弁装置として本発明は広く適用できる。
【図面の簡単な説明】
【００３６】
【図１】本発明の実施形態の給水弁装置を具備する食器洗浄機の構造を示す説明図。
【図２】実施形態の給水弁装置の断面図。
【図３】実施形態の給水弁装置の制御内容を示すフロー図。
【符号の説明】
【００３７】
３…給水路、１０…給水弁装置、１１…バルブハウジング、１２…第１電磁弁、１２１…弁座、１２２…主弁、１２２ａ…主弁孔、１２３…流入室、１２３ａ…オリフィス孔、１２５…背圧室、１２６…パイロット弁、１２６ａ…パイロット弁孔、１２７…ソレノイド、１３…第２電磁弁、１３２…弁孔、１３３…弁体、１３４…ソレノイド、１４…第３電磁弁、１４２…弁孔、１４３…弁体、１４４…ソレノイド。
【図１】
2008008319.tif 000003
【図２】
2008008319.tif 000004
【図３】
2008008319.tif 000005